(57)【要約】  【課題】  高解像度ＨＤのためにスケーリング処理を実行する際、識別信号に基づいてスケーリング処理を行い、画素数が増加することに伴って発生するＯＳＤ信号のエッジのボケを防止する画像表示装置を提供する。  【解決手段】  ＯＳＤ信号が付加された映像信号、識別信号およびスケーリング処理を実行したＯＳＤ信号が付加された映像信号を記憶する記憶部７と、記憶部７に記憶された識別信号からＬｏｗレベルの映像信号とＨｉｇｈレベルのＯＳＤ信号を判定するＬｏｗ／Ｈｉｇｈ判定部８と、記憶部７に記憶されたＯＳＤ信号が付加された映像信号をＬｏｗ／Ｈｉｇｈ判定部８の判定結果に基づいて演算し、スケーリング処理を行う演算部９を有するスケーリング処理部５を備える。【選択図】  図２
2009103907.tif 000002
【特許請求の範囲】
【請求項１】
映像信号にＯＳＤ信号を付加して映像表示がされる画像表示装置において、
前記映像信号に付加された前記ＯＳＤ信号を識別する識別信号を出力する識別信号出力部と、前記識別信号に基づいて前記ＯＳＤ信号が付加された映像信号から前記ＯＳＤ信号を判定し、前記ＯＳＤ信号と前記映像信号の境界近傍のスケーリング処理係数を変更して、スケーリング処理を行うスケーリング処理部と、を備えたことを特徴とする画像表示装置。
【請求項２】
前記スケーリング処理部は、前記ＯＳＤ信号が付加された映像信号、前記識別信号およびスケーリング処理を実行したＯＳＤ信号が付加された映像信号を記憶する記憶部と、前記記憶部に記憶された前記識別信号からＬｏｗレベルの映像信号とＨｉｇｈレベルのＯＳＤ信号を判定するＬｏｗ／Ｈｉｇｈ判定部と、前記記憶部に記憶された前記ＯＳＤ信号が付加された映像信号を前記Ｌｏｗ／Ｈｉｇｈ判定部の判定結果に基づいて演算し、スケーリング処理を行う演算部と、を備えたことを特徴とする請求項１に記載の画像表示装置。
【請求項３】
前記記憶部は、前記ＯＳＤ信号が付加された映像信号を記憶する入力信号記憶領域と、前記識別信号を記憶する識別信号記憶領域と、前記演算部でスケーリング処理を実行したＯＳＤ信号が付加された映像信号を記憶する出力信号記憶領域と、を備えたことを特徴とする請求項２に記載の画像表示装置。
【請求項４】
前記演算部は、前記ＯＳＤ信号が付加された映像信号のＯＳＤ信号と映像信号の境界近傍において、Ｌｏｗレベルの映像信号に、スケーリング処理係数０でスケーリング処理を実行することを特徴とする請求項２に記載の画像表示装置。
【請求項５】
前記画像表示装置は、フラットディスプレイテレビもしくは高精細画像表示テレビであることを特徴とする請求項１、請求項２、請求項３又は請求項４のいずれか一項に記載の画像表示装置。
【請求項６】
映像信号にＯＳＤ信号を付加して映像表示する画像表示方法において、
前記映像信号に付加された前記ＯＳＤ信号を識別する識別信号を出力する識別信号出力ステップと、
前記識別信号に基づいて前記ＯＳＤ信号が付加された映像信号から前記ＯＳＤ信号を判定するＯＳＤ信号判定ステップと、
判定された前記ＯＳＤ信号と前記映像信号の境界近傍のスケーリング処理係数を変更して、スケーリング処理を行うスケーリング処理ステップと、
を備えたことを特徴とする画像表示方法。
【発明の詳細な説明】
【技術分野】
【０００１】
本発明は、映像信号にＯＳＤ（On-Screen Display）信号を重畳して映像表示がされる画像表示装置及びその画像表示方法に係り、特に、画像のスケーリング処理に伴うＯＳＤ（On-Screen Display）信号表示と映像信号表示の境界のボケを防止し、クッキリとしたＯＳＤ表示を実現する画像表示装置及びその画像表示方法に関する。
【背景技術】
【０００２】
アナログテレビジョン放送と、ＢＳデジタル放送や地上デジタル放送などのデジタル放送を共通に受信して表示する画像表示装置が実用化されている。
【０００３】
このような画像表示装置は、アナログ放送の受信を基本に構成され、アドオン型デジタルチューナユニットを搭載して、デジタル放送の受信と表示が可能となるように構成されている。
【０００４】
また、画像表示装置は、標準解像度ＳＤ（Standard Definition）のテレビ放送を高解像度ＨＤ（High Definition）にするためのスケーリング処理を行うように構成されている。
【０００５】
さらに、画像表示装置は、映像信号にＯＳＤ（On-Screen Display）信号を重畳して映像表示がされるように構成されている。
【０００６】
図９に従来の画像表示装置の要部ブロック構成図を示す。図９において、従来の画像表示装置５０は、アドオン型デジタルチューナユニット５１、入力部５２、スケーリング処理部５３、映像表示部５４を備え、アドオン型デジタルチューナユニット５１が受信したデジタル放送の映像信号にＯＳＤ信号が付加（重畳）され、ＯＳＤ信号が付加された映像信号を入力部５２を介してスケーリング処理部５３に供給し、ＯＳＤ信号が付加された映像信号を、例えば標準解像度ＳＤの７２０ｐから高解像度ＨＤの１０８０ｉで表示するためのスケーリング処理を行い、スケーリング処理を行ったＯＳＤ信号が付加された映像信号を映像表示部５４（液晶パネル）に高解像度の表示を行う。
【０００７】
図１０に従来のスケーリング処理前のＯＳＤ信号が付加された映像信号の画素イメージ図を示す。図１０において、黒色表示の画素は、映像信号、白色表示の画素は、ＯＳＤ信号をイメージする。
【０００８】
図１１に従来のスケーリング処理後のＯＳＤ信号が付加された映像信号の画素イメージ図を示す。図１１において、黒色表示の画素は、映像信号、白色表示の画素は、ＯＳＤ信号、灰色表示の画素は、映像信号とＯＳＤ信号の境界（ＯＳＤ信号のエッジ）を表す。
【０００９】
スケーリング処理を実行すると、映像信号の画素およびＯＳＤ信号の画素が増加して、滑らかになり、高解像度の画像を表示することができる。
【００１０】
また、従来の映像信号処理装置において、アナログテレビジョン放送のアナログ映像信号をＡ／Ｄ変換したデジタル映像信号に第１のスケーリング処理を施すとともに、デジタル映像信号によるＯＳＤ信号に第１のスケーリング処理よりも品位の低い第２のスケーリング処理を施し、スケーリング処理を施したデジタル映像信号とＯＳＤ信号とを重畳して、画質の劣化を防止し、遅延の少ない映像表示が得られるようにした技術が特許文献１に開示されている。
【特許文献１】特開２００６−２４６２４６号公報（要約、図４を参照）
【発明の開示】
【発明が解決しようとする課題】
【００１１】
従来の画像表示装置は、スケーリング処理により、映像信号の画素およびＯＳＤ信号の画素が増加し、滑らかに処理されて、映像信号は、高解像度の画像となるが、ＯＳＤ信号は、滑らかに処理されと、図１１に示すエッジ部に灰色表示の画素が発生し、ボケを発生する課題がある。
【００１２】
図１２に従来のスケーリング処理前後のイメージ図を示す。図１２において、スケーリング処理前の画素数が例えば、７２０×５７６の場合、ＯＳＤ信号（斜線表示）のエッジがクッキリとしているが、スケーリング処理後には画素数が増加し、例えば１９２０×１０８０となり、映像信号（白色表示）は滑らかになるが、ＯＳＤ信号（斜線表示）のエッジにボケ部が発生する虞がある。
【００１３】
この発明はこのような課題を解決するためになされたもので、その目的はＯＳＤ信号が重畳された映像信号にスケーリング処理を実行する際、識別信号に基づいてスケーリング処理を行い、画素数が増加することに伴って発生するＯＳＤ信号のエッジのボケを防止する画像表示装置及びその画像表示方法を提供することにある。
【課題を解決するための手段】
【００１４】
前記課題を解決するためこの発明に係る画像表示装置は、映像信号にＯＳＤ信号を付加して映像表示がされる画像表示装置において、映像信号に付加されたＯＳＤ信号を識別する識別信号を出力する識別信号出力部と、識別信号に基づいてＯＳＤ信号が付加された映像信号からＯＳＤ信号を判定し、ＯＳＤ信号と映像信号の境界近傍のスケーリング処理係数を変更して、スケーリング処理を行うスケーリング処理部と、を備えたことを特徴とする。
また、この発明に係る画像表示装置において、スケーリング処理部は、ＯＳＤ信号が付加された映像信号、識別信号およびスケーリング処理を実行したＯＳＤ信号が付加された映像信号を記憶する記憶部と、記憶部に記憶された識別信号からＬｏｗレベルの映像信号とＨｉｇｈレベルのＯＳＤ信号を判定するＬｏｗ／Ｈｉｇｈ判定部と、記憶部に記憶されたＯＳＤ信号が付加された映像信号をＬｏｗ／Ｈｉｇｈ判定部の判定結果に基づいて演算し、スケーリング処理を行う演算部と、を備えたことを特徴とする。
さらに、この発明に係る画像表示装置において、記憶部は、ＯＳＤ信号が付加された映像信号を記憶する入力信号記憶領域と、識別信号を記憶する識別信号記憶領域と、演算部でスケーリング処理を実行したＯＳＤ信号が付加された映像信号を記憶する出力信号記憶領域と、を備えたことを特徴とする。
また、この発明に係る画像表示装置において、演算部は、ＯＳＤ信号が付加された映像信号のＯＳＤ信号と映像信号の境界近傍において、Ｌｏｗレベルの映像信号に、スケーリング処理係数０でスケーリング処理を実行することを特徴とする。
さらに、この発明に係る画像表示装置は、フラットディスプレイテレビもしくは高精細画像表示テレビであることを特徴とする。
また、この発明に係る画像表示方法は、映像信号にＯＳＤ信号を付加して映像表示する画像表示方法において、映像信号に付加されたＯＳＤ信号を識別する識別信号を出力する識別信号出力ステップと、識別信号に基づいてＯＳＤ信号が付加された映像信号からＯＳＤ信号を判定するＯＳＤ信号判定ステップと、判定されたＯＳＤ信号と映像信号の境界近傍のスケーリング処理係数を変更して、スケーリング処理を行うスケーリング処理ステップと、を備えたことを特徴とする。
【発明の効果】
【００１５】
本発明によれば、ＯＳＤ信号が付加された映像信号を識別信号に基づいてスケーリング処理を行う際に、ＯＳＤ信号のエッジ近傍のスケーリング処理係数を変更するので、ＯＳＤ信号のエッジ部にボケのないＯＳＤ表示を実現することができる。
【発明を実施するための最良の形態】
【００１６】
以下、この発明の実施の形態を添付図面に基づいて説明する。なお、本発明による実施の形態を、標準解像度ＳＤ（Standard Definition）のデジタル放送の受信映像信号を高解像度ＨＤ（High Definition）のＯＳＤ信号が付加された映像信号にスケーリング処理する際、ＯＳＤ信号と映像信号の境界近傍の画素に、識別信号に基づいてＯＳＤ信号領域と映像信号領域を判定し、境界近傍の映像信号に対してスケーリング処理係数０で演算してスケーリング処理を実行するフラットディスプレイテレビや高精細画像表示テレビなどの画像表示装置を例にとって具体的に説明する。
【００１７】
図１はこの発明に係る画像表示装置の一実施の形態要部ブロック構成図である。なお、画像表示装置１は、例えばフラットディスプレイテレビもしくは高精細画像表示テレビであり、製品の初期段階には、図示しないアナログチューナを常備しており、アナログテレビジョン放送を受信して表示するアナログテレビとして構成されている。
【００１８】
しかし、現状では、アナログテレビジョン放送に加え、ＢＳデジタル放送や地上デジタル放送などのデジタル放送が普及しており、デジタル放送に移行する過渡期にあって、アナログテレビジョン放送とデジタル放送を１台のテレビで、視聴したいというユーザニーズと、メーカ側のシーズがある。
【００１９】
アナログテレビジョン放送ならびにデジタル放送に１台のテレビで対応するため、テレビの設計時には、アナログおよびデジタルに共通に対応可能にしておき、アナログチューナを常備して、製品初期には、アナログテレビとして構成され、デジタル放送への要求がある場合には、予め準備されたスペースに、アドオン型デジタルチューナユニットを搭載し、アナログチューナの動作を停止させて、デジタル放送対応のテレビとして構成される。
【００２０】
なお、アナログチューナおよびアドオン型デジタルチューナユニットを除いた部分は、例えば放送波の標準解像度ＳＤ（Standard Definition）からテレビ側の高解像度ＨＤ（High Definition）へのスケーリング処理なども共通に構成されており、アナログテレビジョン放送またはデジタル放送に対応して、一部の機能の動作／不動作、接続の有無が設定されることになる。
【００２１】
図１において、画像表示装置１は、アドオン型のデジタルチューナユニットを搭載可能なＨＤタイプのフラットディスプレイテレビもしくは高精細画像表示テレビの画像表示装置であり、アドオン型デジタルチューナユニット２、入力部３、識別信号処理部４、スケーリング処理部５および映像表示部６を備える。
【００２２】
アドオン型デジタルチューナユニット２は、デジタル放送を受信し、選択されたチャネルの映像信号およびＯＳＤ信号を入力信号として入力部３を介してスケーリング処理部５に供給する。なお、入力信号は、ＯＳＤ信号が付加（重畳）された映像信号になっている。
【００２３】
また、アドオン型デジタルチューナユニット２は、ＯＳＤ信号と映像信号を認識するための識別符号付きの識別信号を出力する識別信号出力部を備え、識別信号を識別信号処理部４を介してスケーリング処理部５に供給する。
【００２４】
識別信号処理部４は、識別信号のＯＳＤ信号と映像信号を区別するための、例えば認識符号を付与する処理を行う。例えば、識別信号がＯＳＤ信号と映像信号の位置信号や位置信号に対応した画素信号である場合、例えばＯＳＤ信号にはＨ（Ｈｉｇｈ）レベルの識別符号「Ｈ」を付加し、映像信号にはＬ（Ｌｏｗ）レベルの識別符号「Ｌ」を付加した識別信号をスケーリング処理部５に供給する。なお、ＯＳＤ信号にはＬ（Ｌｏｗ）レベルの識別符号「Ｌ」を付加し、映像信号にはＨ（Ｈｉｇｈ）レベルの識別符号「Ｈ」を付加するようにしてもよい。
【００２５】
スケーリング処理部５は、ＣＰＵやメモリ、または専用のスケーリングＩＣで構成し、入力部３から供給されるＯＳＤ信号が付加（重畳）された映像信号を、識別信号処理部４から供給される識別符号付きの識別信号に基づいて、ＯＳＤ信号が付加された映像信号からＯＳＤ信号を判定し、ＯＳＤ信号と映像信号の境界近傍のスケーリング処理係数を変更して、スケーリング処理を行い、スケーリング処理を行ったＯＳＤ信号が付加（重畳）された映像信号を映像表示部６に供給する。
【００２６】
図２はこの発明に係るスケーリング処理部の一実施の形態要部ブロック構成図である。図２において、スケーリング処理部５は、記憶部７、Ｌｏｗ／Ｈｉｇｈ判定部８および演算部９を備える。
【００２７】
記憶部７は、ＲＯＭ、ＲＡＭ、フラッシュメモリなどで構成し、入力信号記憶領域７ａ、識別信号記憶領域７ｂおよび出力信号記憶領域７ｃを備える。
【００２８】
入力信号記憶領域７ａは、入力部３から供給されるＯＳＤ信号が付加された映像信号を記憶する。識別信号記憶領域７ｂは、識別信号処理部４から供給される識別符号「Ｈ」や識別符号「Ｌ」が付加された識別信号を記憶する。出力信号記憶領域７ｃは、演算部でスケーリング処理を実行したＯＳＤ信号が付加された映像信号を記憶する。なお、出力信号記憶領域７ｃに記憶されたＯＳＤ信号が付加された映像信号は、スケーリング処理された高解像度ＨＤ（High Definition）の信号である。
【００２９】
Ｌｏｗ／Ｈｉｇｈ判定部８は、識別信号記憶領域７ｂから読み出した識別信号から「Ｌ」（Ｌｏｗ）レベルの識別信号（映像信号）と「Ｈ」（Ｈｉｇｈ）レベルの識別信号（ＯＳＤ信号）を判定し、判定結果を演算部９に供給する。
【００３０】
演算部９は、入力信号記憶領域７ａから読み出したＯＳＤ信号が付加された映像信号を、Ｌｏｗ／Ｈｉｇｈ判定部８から供給される判定結果に基づいて演算し、スケーリング処理を行い、スケーリング処理した高解像度ＨＤ（High Definition）のＯＳＤ信号が付加された映像信号を出力信号記憶領域７ｃに書き込む。
【００３１】
また、演算部９は、ＯＳＤ信号が付加された映像信号のＯＳＤ信号と映像信号の境界（エッジ）近傍において、「Ｌ」（Ｌｏｗ）レベルの映像信号に、スケーリング処理係数０でスケーリング処理を実行する。
【００３２】
一方、ＯＳＤ信号と映像信号の境界（エッジ）近傍を除く部分には、通常（予め設定）のスケーリング処理係数でスケーリング処理を実行する。
【００３３】
映像表示部６は、液晶パネルで構成し、スケーリング処理部５（出力信号記憶領域７ｃ）から供給されるスケーリング処理した高解像度ＨＤ（High Definition）のＯＳＤ信号が付加された映像信号を画像表示する。
【００３４】
図３はこの発明に係るＯＳＤ信号が付加された映像信号および識別信号のイメージ図である。図３において、映像信号にＯＳＤ信号を付加（重畳）した、ＯＳＤ信号が付加された映像信号および識別信号がアドオン型デジタルチューナユニット２から出力される。
【００３５】
図４はこの発明に係る画素数のイメージ図である。図４において、スケーリング処理前の画素数は、アドオン型デジタルチューナユニット２から出力される、例えば標準解像度ＳＤの７２０×５７６であり、スケーリング処理後の画素数は、スケーリング処理部５から出力されるパネル表示の、例えば高解像度ＨＤの１９２０×１０８０となる。
【００３６】
続いて、本発明の識別信号を用いたスケーリング処理について図５、図６および図７に基づいて説明する。図５はスケーリング処理前のＯＳＤ信号が付加された映像信号の画素イメージ図である。なお、図５は図１０と同一である。図６はこの発明に係る識別信号の「Ｌ」（Ｌｏｗ）部分と「Ｈ」（Ｈｉｇｈ）部分のイメージ図である。図７はこの発明に係るスケーリング処理後のＯＳＤ信号が付加された映像信号の画素イメージ図である。
【００３７】
図６に示すように、識別信号が「Ｌ」（Ｌｏｗ）レベル部（映像信号）と「Ｈ」（Ｈｉｇｈ）レベル部（ＯＳＤ信号）に分かれている場合、識別信号が「Ｌ」（Ｌｏｗ）レベル（映像信号）から「Ｈ」（Ｈｉｇｈ）レベル（ＯＳＤ信号）になる境目の画素５５−２（図７参照）を演算する際、図５に示す「Ｌ」（Ｌｏｗ）レベル（映像信号）の入力画素２２、２３、３２を演算に使わず、または入力画素２２、２３、３２にスケーリング処理係数０で演算し、「Ｈ」（Ｈｉｇｈ）レベル（ＯＳＤ信号）の入力画素だけに所定のスケーリング処理係数で演算する。
【００３８】
このようにして、演算されたＯＳＤ信号のエッジの画素５５−２は、映像信号とＯＳＤ信号の境界のボケを防止して、高解像度ＨＤのＯＳＤ表示が得られる。
【００３９】
同様に、他のＯＳＤ信号の境界（エッジ）部分の画素にも同じ演算を実行する。
【００４０】
図８はこの発明に係るスケーリング処理前後のイメージ図である。図８において、スケーリング処理前の画素数が例えば、７２０×５７６の場合、ＯＳＤ信号（斜線表示）のエッジがクッキリとしている。
【００４１】
一方、スケーリング処理後には画素数が増加し、例えば１９２０×１０８０となり、映像信号（白色表示）が滑らかになるとともに、ＯＳＤ識別信号でスケーリング処理することにより、ＯＳＤ信号（斜線表示）のエッジにボケ部（破線表示）の発生を防止する。
【００４２】
なお、本実施の形態では、フラットディスプレイテレビもしくは高精細画像表示テレビについて説明したが、フラットディスプレイテレビや高精細画像表示テレビに限定されることなく、本発明は、画像のスケーリング処理に伴うＯＳＤ（On-Screen Display）信号表示を行う一般的な画像表示装置に適用することができる。
【００４３】
以上説明したように、この発明に係る画像表示装置１は、ＯＳＤ信号が付加された映像信号を識別信号に基づいてスケーリング処理を行う際に、ＯＳＤ信号のエッジ近傍のスケーリング処理係数を変更するので、ＯＳＤ信号のエッジ部にボケのない高解像度ＨＤのＯＳＤ表示を実現することができる。
【産業上の利用可能性】
【００４４】
本発明は、画像のスケーリング処理に伴うＯＳＤ（On-Screen Display）信号表示と映像信号表示の境界のボケを防止するもので、スケーリング処理を行うあらゆる画像表示装置に適用することができる。
【図面の簡単な説明】
【００４５】
【図１】この発明に係る画像表示装置の一実施の形態要部ブロック構成図である。
【図２】この発明に係るスケーリング処理部の一実施の形態要部ブロック構成図である
【図３】この発明に係るＯＳＤ信号が付加された映像信号および識別信号のイメージ図である。
【図４】この発明に係る画素数のイメージ図である。
【図５】スケーリング処理前のＯＳＤ信号が付加された映像信号の画素イメージ図である。
【図６】この発明に係る識別信号の「Ｌ」（Ｌｏｗ）部分と「Ｈ」（Ｈｉｇｈ）部分のイメージ図である。
【図７】この発明に係るスケーリング処理後のＯＳＤ信号が付加された映像信号の画素イメージ図である。
【図８】この発明に係るスケーリング処理前後のイメージ図である。
【図９】従来の画像表示装置の要部ブロック構成図である。
【図１０】従来のスケーリング処理前のＯＳＤ信号が付加された映像信号の画素イメージ図である。
【図１１】従来のスケーリング処理後のＯＳＤ信号が付加された映像信号の画素イメージ図である。
【図１２】従来のスケーリング処理前後のイメージ図である。
【符号の説明】
【００４６】
１…画像表示装置
２…アドオン型デジタルチューナユニット
３…入力部
４…識別信号処理部
５…スケーリング処理部
６…映像表示部
７…記憶部
７ａ…入力信号記憶領域
７ｂ…識別信号記憶領域
７ｃ…出力信号記憶領域
８…Ｌｏｗ／Ｈｉｇｈ判定部
９…演算部
【図１】
2009103907.tif 000003
【図２】
2009103907.tif 000004
【図３】
2009103907.tif 000005
【図４】
2009103907.tif 000006
【図５】
2009103907.tif 000007
【図６】
2009103907.tif 000008
【図７】
2009103907.tif 000009
【図８】
2009103907.tif 000010
【図９】
2009103907.tif 000011
【図１０】
2009103907.tif 000012
【図１１】
2009103907.tif 000013
【図１２】
2009103907.tif 000014